(57)【要約】【課題】蛇腹状のコルゲートチューブに挿通されて収容されている、例えば線材部品である電線、ワイヤハーネス或いは光ファイバ等の幹線を、保持具の大型化を伴わずに、コルゲートチューブ内部に簡単に固定させることができ、延いては配線作業の高効率化及び配線精度の向上をもたらすことができる保持具を提供すること。【解決手段】電線束固定部２７は、その先端部がベース２０の外側に位置するように該ベース２０から延設され、コルゲートチューブ４０を挿通する電線束５０が、電線束固定部２７のうちのベース２０の外側に位置する部分に止着される。【選択図】図１３
2010154666.tif 000002
【特許請求の範囲】
【請求項１】
電線束によって挿通されたコルゲートチューブを保持する本体部と、
前記本体部の内面から突出して形成され、前記コルゲートチューブを該本体部の前記内面と挟み込むことによって該コルゲートチューブを該本体部に固定する電線束固定部と、
を備え、
前記電線束固定部は、その先端部が前記本体部の外側に位置するように前記本体部から延設され、前記コルゲートチューブを挿通する前記電線束が、前記電線束固定部のうちの前記本体部の外側に位置する部分に止着される、
ことを特徴とする保持具。
【請求項２】
前記本体部は、前記コルゲートチューブの径方向下側部分を覆うベースと、前記ベースと係合して前記コルゲートチューブの径方向上側部分を覆うカバーと、によって形成され、
前記電線束固定部は、前記ベースまたは前記カバーの内面から突出して形成される、
ことを特徴とする請求項１に記載の保持具。
【請求項３】
前記電線束固定部は、
前記本体部の内面から該本体部の内部に向けて突出して形成された起立部と、
前記起立部の先端部から前記本体部の内面に沿って延設された、該本体部の内面に対向する対向面とは反対面に前記電線束が載置される基体部と、
前記基体部の前記対向面から前記本体部の内面に向けて突出して形成された、前記コルゲートチューブの蛇腹の谷部に係合するための係止爪と、
前記基体部のうちの前記本体部の外側に位置する先端部から、前記基体部の前記起立部からの延設方向とは交差する方向に延設されたストッパ部と、
を有することを特徴とする請求項１又は請求項２に記載の保持具。
【発明の詳細な説明】
【技術分野】
【０００１】
本発明は、例えば、電線、光ファイバ、ワイヤハーネスなど（以下、「線材部品」とよぶ）をまとめて複数挿通させたコルゲートチューブを保持する保持具に関する。
【背景技術】
【０００２】
電線やワイヤハーネス等の線材部品をまとめて収容し、その線材部品をレイアウトに従って配索するため、蛇腹形状のコルゲートチューブが知られている。また、２つのコルゲートチューブの端部どうしなどを連結又は連通させてまとめて一体に保持させたり、所定の方向に折曲させたりするため、コルゲートチューブの要部を外側から保持する保持具やプロテクタなども開発され使用されている（例えば、特許文献１参照）。
【０００３】
例えば、図１６に示す保持具１００は、コルゲートチューブ２００の端部２０１を保持するベース１１０と、カバー１２０とからなる。このうち、ベース１１０は、コルゲートチューブ端部２０１の外周面を支持するホルダー部１１１を有し、ホルダー部１１１の端部に向けて軸方向に延びる弾性保持片１１２が形成され、コルゲートチューブ端部２０１内面の蛇腹の谷に弾性的に係合してベース１１０に仮止め保持する。一方、カバー１２０は、ベース１１０に連結する連結片１２１を有しており、この連結片１２１はその押込み位置をコルゲートチューブ２００の外径の大きさに合わせて調整できる。これにより、コルゲートチューブ２００をベース１１０に対して位置ずれすることなく仮止め保持できる。
【０００４】
ところで、このような保持具やプロテクタに保持されたコルゲートチューブにあっては、挿通されて収容されている線材部品である電線やワイヤハーネス等の束(主幹線)の中から一部を分岐（枝線）して外部へ引き出し別の場所へ向けて配索させることなども行われている。そのため、専用の保持具やプロテクタなども提案されている（例えば、特許文献２、３参照）。
【特許文献１】特開２００８−１５４３４３号公報
【特許文献２】特開平１１−６９５６２号公報
【特許文献３】２００５−１９２３２９号公報
【発明の開示】
【発明が解決しようとする課題】
【０００５】
しかしながら、上記の特許文献２、３などに記載の保持具などでは、コルゲートチューブを固定させることができたとしても、そのコルゲートチューブの内部に挿通させてある電線やワイヤハーネス等の束（主幹線）は、どこにも固定されているわけでなない。このため、その主幹線の束の中から一部分岐用の引き出す電線やワイヤハーネス等を引き出して配索させるときに、その束のなかの残りのものが一緒に連れ回されて移動したり、線材部品がコルゲートチューブ内部で該コルゲートチューブの周方向に回動したりする虞があり、枝線の引き出しの際の作業性の低下と配索作業の際の配線精度の劣化などをもたらしている。
【０００６】
本発明は、上述した事情に鑑みてなされたものであり、その目的は、蛇腹状のコルゲートチューブに挿通されて収容されている、例えば線材部品である電線、ワイヤハーネス或いは光ファイバ等の幹線を、保持具の大型化を伴わずに、コルゲートチューブ内部に簡単に固定させることができ、延いては配線作業の高効率化及び配線精度の向上をもたらすことができる保持具を提供することにある。
【課題を解決するための手段】
【０００７】
前述した目的を達成するために、本発明に係る保持具は、下記（１）〜（３）を特徴としている。
（１）  電線束によって挿通されたコルゲートチューブを保持する本体部と、
前記本体部の内面から突出して形成され、前記コルゲートチューブを該本体部の前記内面と挟み込むことによって該コルゲートチューブを該本体部に固定する電線束固定部と、
を備え、
前記電線束固定部は、その先端部が前記本体部の外側に位置するように前記本体部から延設され、前記コルゲートチューブを挿通する前記電線束が、前記電線束固定部のうちの前記本体部の外側に位置する部分に止着される、
こと。
（２）  上記（１）の構成の保持具であって、
前記本体部は、前記コルゲートチューブの径方向下側部分を覆うベースと、前記ベースと係合して前記コルゲートチューブの径方向上側部分を覆うカバーと、によって形成され、
前記電線束固定部は、前記ベースまたは前記カバーの内面から突出して形成される、
こと。
（３）  上記（１）又は（２）の構成の保持具であって、
前記電線束固定部は、
前記本体部の内面から該本体部の内部に向けて突出して形成された起立部と、
前記起立部の先端部から前記本体部の内面に沿って延設された、該本体部の内面に対向する対向面とは反対面に前記電線束が載置される基体部と、
前記基体部の前記対向面から前記本体部の内面に向けて突出して形成された、前記コルゲートチューブの蛇腹の谷部に係合するための係止爪と、
前記基体部のうちの前記本体部の外側に位置する先端部から、前記基体部の前記起立部からの延設方向とは交差する方向に延設されたストッパ部と、
を有することを特徴とする請求項１又は請求項２に記載の保持具。
【０００８】
上記（１）の構成の保持具によれば、蛇腹状のコルゲートチューブに挿通されて収容されている、例えば線材部品である電線、ワイヤハーネス或いは光ファイバ等の幹線を、該保持具の大型化を伴わずに、本体部に形成された電線束固定部に簡単に固定させることができる。さらに、本体部の外側に先端が位置する電線束固定部に挿通させて該コルゲートチューブを本体部に装着することにより、配線作業の高効率化及び配線精度の向上をもたらすことができる。
また、上記（２）の構成の保持具によれば、簡易な構成の保持具が提供できる。
また、上記（３）の構成の保持具によれば、さらに外径の小型化を図ることができる。
【発明の効果】
【０００９】
本発明の保持具によれば、蛇腹状のコルゲートチューブに挿通されて収容されている、例えば線材部品である電線、ワイヤハーネス或いは光ファイバ等の幹線を、該保持具の大型化を伴わずに、本体部に形成された電線束固定部に簡単に固定させることができる。さらに、本体部の外側に先端が位置する電線束固定部に挿通させて該コルゲートチューブを本体部に装着することにより、配線作業の高効率化及び配線精度の向上をもたらすことができる。
【発明を実施するための最良の形態】
【００１０】
以下、本発明について、添付図面を参照しながら詳細に説明する。
図１は、本発明の実施形態に係る保持具１０を示すものであり、蛇腹形状の２つのコルゲートチューブ４０Ａ、４０Ｂどうしを取り付けて連結させるときの模様を示している。また、図２は、本発明の第１の実施形態に係るベースを示す底面図である。また、図３は、そのベースの横断面図である。また、図４は、そのベースの平面図である。また、図５（Ａ）及び（Ｂ）は、そのベースの側面図及び図２のＶＢ−ＶＢ線断面図である。また、図６（Ａ）は本発明の第１の実施形態に係る第１上カバー、第２上カバー及び可撓連結部を示す正面図、図６（Ｂ）はその底面図である。また、図７は、その第１上カバー、第２上カバー及び可撓連結部について、長手方向に沿った断面図である。また、図８（Ａ）及び（Ｂ）はその側面図及び図６のＶＩＩＩＢ−ＶＩＩＩＢ線断面図である。また、図９（Ａ）は本発明の第１の実施形態に係るベースの電線束固定部に電線束を止着させた後、コルゲートチューブを１次止め及び仮止めした状態を示す説明図、図９（Ｂ）はその要部拡大図である。また、図１０は、本発明の第１の実施形態に係る第２上カバーでコルゲートチューブを２次止め（本止め）した状態を示す説明図である。また、図１１は、本発明の第１の実施形態に係るベースの電線束固定部に電線束を止着させた状態を示す断面図である。また、図１２は、図１１の電線束を止着させたベースにコルゲートチューブを挿入して係止させた状態を示す断面図である。また、図１３は、図１２のコルゲートチューブを挿入させたベースに上ケースを被せるとともに枝線を引き出した状態を示す斜視図である。また、図１４は、本発明の保持具のベースの変形例を示す斜視図である。また、図１５は、本発明の保持具のベースの他の変形例を示す斜視図である。
【００１１】
この保持具１０は、同径又は異径のコルゲートチューブ４０Ａ、４０Ｂどうしを連結するプロテクタとして機能するものであり、本体部が、ベース２０と、可撓連結部３０Ｃで連結された第１上カバー３０Ａ及び第２上カバー３０Ｂと、の２部品で構成されており、それぞれ、合成樹脂の一体成形品で形成される。なお、図１において、説明の都合上、コルゲートチューブ４０Ａ、４０Ｂは、主として、端部４１側寄りのみが記載されているが、実際には長く形成されており、例えばコルゲートチューブ４０Ａ、４０Ｂの内部には、電線の束等（以下、電線束５０とよぶ；図９から図１３参照）が挿通された状態で収容されて保護されており、コルゲートチューブ４０Ａ、４０Ｂは、例えば、自動車のボディパネル等へのレイアウトに従って配索・分岐される。
【００１２】
ベース２０は、図１に示すように、主に、各コルゲートチューブ４０Ａ、４０Ｂの端部４１の底部及び両側面を保持するものである。本実施形態のベース２０には、長手（Ｘ）方向について両端寄り（前後）にそれぞれ設けたホルダー部２１と、長手（Ｘ）方向の両端に設けた第１のベース側係止部（以下、ベース側係止部２２と略す）と、長手（Ｘ）方向の前後両端でかつ長手（Ｘ）方向に直交する短手（Ｙ）方向の両側に設けた係止部２３と、長手（Ｘ）方向の中央底部から下方へ突出する固定部２４（図３参照）と、ホルダー部２１の間である中央寄りに前後２箇所設けたそれぞれ一対のものからなるガイドバー２５と、長手（Ｘ）方向の中央部であって短手（Ｙ）方向について左右両側に設けた枝線引出部２６と、ベース２０の内面(床面)から長手方向（コルゲートチューブ４０Ａ、４０Ｂの配索方向）に沿ってベース２０の外部に至るまで突設させた弾性的に変位可能な電線束固定部２７と、を備える。
【００１３】
ホルダー部２１は、連結すべきコルゲートチューブ４０Ａ、４０Ｂの各端部４１を受け入れてその端部４１の外周面を支持する形状に形成される。本実施形態のホルダー部２１は、各コルゲートチューブ４０Ａ、４０Ｂの端部４１を下方から保持する床部２１Ａと、同じく端部４１を側方から保持するために床部２１Ａから立ち上がる左右一対の壁部２１Ｂと、端部４１の挿入の際のコルゲートチューブ４０Ａ、４０Ｂの下部側のスムースな移動動作を確保させるために床面２１に設けた開口２１Ｃと、を有しており、図５に示すように、管径方向から見たとき略Ｕ字形状に形成される。
【００１４】
ベース側係止部２２は、前述の電線束固定部２７での仮止め保持後に行うカバー閉鎖時の本止めに用いるものであり、図９に示すように、各コルゲートチューブ端部４１の外面端部の蛇腹の谷に弾性的に入り込ませて係合し、各コルゲートチューブ４０Ａ、４０Ｂをベース２０に保持することにより、コルゲートチューブ４０Ａ、４０Ｂの軸方向の移動を阻止する。このベース側係止部２２は、各ホルダー部２１の床部２１Ａからコルゲートチューブ端部４１の軸心方向に向かうように突出させた突起状を有しており、本実施形態では各ホルダー部２１の床部２１Ａ（及び壁部２１Ｂ）から上方向に突出する。
【００１５】
係止部２３は、ホルダー部２１の壁部２１Ｂのそれぞれの外面に４箇所形成された略角筒形状を呈するものであって、図４に示すように、第１上カバー３０Ａ及び第２上カバー３０Ｂの連結片３１を受け入れる連結片係止穴２３Ａを有している。本実施形態の係止部２３は、ベース２０の四隅位置に都合４個形成されており、各係止部２３の連結片係止穴２３Ａには、弾性のある係止爪２３Ｂが突設する。
【００１６】
図３に示す固定部２４は、図示外のパネル等の被取付部材に取付けるようになっており、本実施形態では、被取付部材の取付穴に挿入して固定する。この固定部２４は、図示の錨脚形状以外にも、例えば被取付部材の取付穴に押込んで固定される他の形状でもよいし、被取付部材に固定されてボタン型スタッド（Ｔスタッド）に係合して固定されるものであってもよい。
【００１７】
ガイドバー２５は、横断面略円弧状を有する湾曲した半円筒形状であって、ホルダー部２１の壁部２１Ｂに隣接して、壁部２１Ｂと平行に立設されており、都合４個形成される。各ガイドバー２５は、第１上カバー３０Ａ及び第２上カバー３０Ｂをベース２０に連結させるときに、これらのカバーを適正な姿勢に保つように案内するもので、必須ではないが、カバーの連結作業を滑らかにかつ確実に行う。各ガイドバー２５の形状は、図示のような半円筒形状に形成してあるが、カバーの案内をするものであれば他の形状であってもよい。
【００１８】
枝線引出部２６は、図１３に示すように、各コルゲートチューブ４０Ａ、４０Ｂの内部に収容させてあった電線束５０の中から所望の電線等５０Ａを、自由に引き出させるための略Ｕ字形の開口であって、第１上カバー３０Ａ及び第２上カバー３０Ｂを連結させてこれらのカバーで覆った状態においても開口状態が保持される。
【００１９】
電線束固定部２７は、図１、３に示すように、ホルダー部２１の床面２１Ａからホルダー部２１の軸方向に沿ってベース２０外部に突出する。この電線束固定部２７は、詳細は後述するが、ホルダー部２１に受け入れられた各コルゲートチューブ端部４１を第１上カバー３０Ａ及び第２上カバー３０Ｂ内面で覆うのに先立ち、図９に示すように、各コルゲートチューブ４０Ａ、４０Ｂの端部４１から内部に入り込んでその端部４１内面に沿って移動し、端部４１内面側の蛇腹の谷に弾性的に係合してコルゲートチューブ４０Ａ、４０Ｂをベース２０内面との間で挟持して仮止めする。
【００２０】
さらに、本発明の電線束固定部２７は、この仮止め機能の外に、この電線束固定部２７にコルゲートチューブ４０Ａ、４０Ｂを仮止めするのに先立ち、コルゲートチューブ４０Ａ、４０Ｂに収容させる電線束（主幹線）５０のうち、枝線引出部２６から外部へ引き出す予定の枝線である（後述する）電線等（分岐線）５０Ａを除いたものが、テープその他の適宜の止着手段６０によってこの電線束固定部２７に一体に止め着けられる。このために、電線束固定部２７は、図９（Ｂ）に示すように、ベース２０の床面２１Ａから垂直に突出する起立部２７１と、この起立部２７１の最上部で折曲する折曲部２７２を介して延設させた基体部２７３と、基体部２７３の中間部分のベース２０に設けコルゲートチューブ４０Ａ、４０Ｂの内面に係止する係止爪２７４と、基体部２７３の先端においてこの基体部２７３に直交する方向に突設させたストッパ部２７５と、を備える。
【００２１】
起立部２７１は、ホルダー部２１において、ベース２０の中央部寄りの床面２１Ａから直上に向けて一定高さｈ（図９（Ｂ）参照）だけ突出するものであり、詳述すれば、ホルダー部２１の床部２１Ａからコルゲートチューブ端部４１内面の蛇腹の山の高さに等しいかそれよりやや高く立ち上がる。
【００２２】
折曲部２７２では、起立部２７１の最上部で水平方向に向けて９０度折曲する。
【００２３】
基体部２７３は、折曲部２７２からホルダー部２１の床面に対して近接状態で、かつ、平行な状態でベース２０の外部まで延出する長尺薄板状の部分からなる。この基体部２７３の上面に搭載される電線束（主幹線）５０のうち、枝線引出部２６から外部へ引き出す予定の枝線である（後述する）所望の電線等（分岐線）５０Ａを除いたものだけが、テープその他の適宜の止着手段６０で、この基体部２７３の下面の係止爪２７４が形成された部分を避けた領域、つまりベース２０外部で止着される。
【００２４】
係止爪２７４は、基体部２７３の、ホルダー部２１の床面２１Ａに対向する下面であって、かつ、ベース２０内部側に、本実施形態では開口２１Ｃに対応する部分に設けられる。この係止爪２７４は、コルゲートチューブ端部４１の内面の蛇腹の谷に弾性的に係止することにより、コルゲートチューブがベース２０から外れて抜脱するのを阻止する。
【００２５】
ストッパ部２７５は、基体部２７３の先端においてこの基体部２７３に直交する方向に突設されており、テープその他の適宜の止着手段６０が緩んだりして基体部２７３から抜脱するのを阻止する。
【００２６】
一方、第１上カバー３０Ａ及び第２上カバー３０Ｂは、図１及び図６〜図８に示すように、可撓性を有する可撓連結部３０Ｃで一体に連結されているおり、ベース３の開放された上部を覆って仮止めされていたコルゲートチューブ４０Ａ，４０Ｂの端部を本止め（２次止め）する。
【００２７】
この第１上カバー３０Ａ及び第２上カバー３０Ｂには、それぞれ、連結片３１及び位置確認用開口３２を設けたカバー本体部３３と、ガイド凹部３４を設けた基部３５と、カバー側係止部３６と、を備える。
【００２８】
可撓連結部３０Ｃは、連結すべき２つのコルゲートチューブ４０Ａ，４０Ｂが異径の場合に（図１０参照）、第１上カバー３０Ａ及び第２上カバー３０Ｂの基部３５どうしが、斜めに傾くことで、コルゲートチューブの外径の差による第１上カバー３０Ａと第２上カバー３０Ｂのベース２０からの高さのずれを許容（吸収）可能な蛇腹状のもので構成されている。即ち、この可撓連結部３０Ｃは、傾斜状態を保持したまま双方のコルゲートチューブ４０Ａ，４０Ｂを上から覆うことができる。また、この可撓連結部３０Ｃは、２つのコルゲートチューブ４０Ａ，４０Ｂが同径の場合（図１３参照）、水平状態を保持した状態で双方のコルゲートチューブ４０Ａ，４０Ｂを上から覆う。
【００２９】
また、この可撓連結部３０Ｃは、特に本発明では必須のものではないが、本実施形態のような蛇腹状のものに限定されるものではなく、要は、連結すべき２つのコルゲートチューブが同径、異径のいずれであっても、確実に双方のコルゲートチューブに上から覆って固定することができる構成であればよい。
【００３０】
連結片３１は、ベース２０側で１次止め（仮止め）された２つのコルゲートチューブ４０Ａ、４０Ｂの端部４１を第１上カバー３０Ａ及び第２上カバー３０Ｂで覆う際にベース２０側に取付けるためのものであり、第１上カバー３０Ａ及び第２上カバー３０Ｂをそれぞれ、ベース２０に取付けることができるように構成する。この連結片３１は、係止部２３の連結片係止穴２３Ａに挿入して係止爪２３Ｂ（図４参照）に係止させることで、ベース２０側に第１上カバー３０Ａ及び第２上カバー３０Ｂを個別に締め付けて一体に連結させるため、係止部２３の連結片係止穴２３Ａに対応する４箇所の位置に設置される。
【００３１】
この連結片３１は、連結片係止穴２３Ａに挿入させる脚部として形成されており、係止部２３の連結片係止穴２３Ａへの押込む量を、コルゲートチューブ４０Ａ、４０Ｂの外径の大きさに合わせて調整する。本実施形態の連結片３１には、連結片係止穴２３Ａの係止爪２３Ｂに係止する係止突部３１Ａを長手方向に複数段設けている。
【００３２】
この係止突部３１Ａは、係止爪２３Ｂとの係止部分がラチェット歯で形成されるのが好ましく、これによって、押込み後の位置がそのまま保持されて本止め状態が確実に維持される。なお、図１の左右のコルゲートチューブ４０Ａ、４０Ｂの直径が異なる（異径の）ものを連結させる場合には、第１上カバー３０Ａ及び第２上カバー３０Ｂの連結片３１の押込む量を独立別個に調整することで、互いに異なる押込み量であっても、双方のコルゲートチューブ端面４１の上面をカバー本体部２２の天井部に当接させて確実に保持できる。
【００３３】
位置確認用開口３２は、第１上カバー３０Ａ及び第２上カバー３０Ｂ内でのコルゲートチューブ４０Ａ、４０Ｂの挿入状態や端部４１位置の確認を、これらのカバーを取り外さなくても目視で行うことができる確認窓として機能する。
【００３４】
カバー本体部３３は、コルゲートチューブ４０Ａ、４０Ｂの上面を上から覆うように被せてベース２０からコルゲートチューブ４０Ａ、４０Ｂが抜け出すのを阻止するため、コルゲートチューブ４０Ａ、４０Ｂの外周面の上半分側の一部形状に倣った断面逆Ｕ形状（略半円筒形状）を呈する。なお、本実施形態のカバー本体部３３は、コルゲートチューブの外径寸法が各種異なるものでも上から被せて覆う（その外周面に当接させる）ことができるようにするため、使用するコルゲートチューブの最大外径のものに対応する曲率に形成してある。
【００３５】
ガイド凹部３４は、第１上カバー３０Ａ及び第２上カバー３０Ｂをベース２０に装着させる際に、べース２０に形成されたガイドバー２５を受け入れて、ガイドバー２５に沿って垂直下方へ移動するように規制するものであり、ガイドバー２５に対応する位置に４箇所形成される。このガイド凹部３３とガイドバー２５との係合動作によって、連結片３１が係止部２３の連結片係止穴２３Ａに挿入されるのをスムースに案内し、延いては第１上カバー３０Ａ及び第２上カバー３０Ｂがベース２０にスムースに連結されるのを補助するとともに、連結後のベース２０側と第１上カバー３０Ａ及び第２上カバー３０Ｂとの間の連結状態を補強する。
【００３６】
基部３５は、カバー本体部３３から１段低くして延設するように形成した平坦面で構成される。この基部３５は、枝線引出部２６直上に位置する一定間隔の空間を隔てて対向するように、相手側の基部３５との間に可撓連結部３０Ｃを架設することで、双方の基部３５が一体に繋ぎ止められている。
【００３７】
カバー側係止部３６は、ベース２０側のベース側係止部２２での１次止め（仮止め）後の、第１上カバー３０Ａ及び第２上カバー３０Ｂでの各コルゲートチューブ端部４１の閉鎖後に行う、本止め（２次止め）に用いる。このカバー側係止部３６は、図１０に示すように、各コルゲートチューブ端部４１の外面の蛇腹の谷に弾性的に係合して、コルゲートチューブ４０Ａ、４０Ｂを第１上カバー３０Ａ及び第２上カバー３０Ｂでそれぞれ保持することにより、コルゲートチューブ４０Ａ、４０Ｂの軸方向の移動を阻止する。
【００３８】
本実施形態のカバー側係止部３６は、図１、図７、図８に示すように、各カバー本体部３３の端部から下方向に延びるように垂下させた突起状を有している。本実施形態のカバー側係止部３６は、各カバー本体部３３の端部での断面略円弧状の天井部から下方に突出するもので構成する。
【００３９】
なお、この第１上カバー３０Ａ及び第２上カバー３０Ｂには、ホルダー部２１に保持させていたコルゲートチューブ４０Ａ、４０Ｂの各端部４１にカバー側係止部３６を押込む際に、このカバー側係止部３６と同じように、コルゲートチューブ端部４１の外面の蛇腹の谷に入り込んで弾性的に係合する、図示外の第２の弾性保持片を形成しておいてもよい。
【００４０】
次に、本実施形態の保持具１０を用いて、コルゲートチューブ４０Ａ、４０Ｂ内の電線束（主幹線）５０から一部の枝線５０Ａを引き出す引す分岐作業と、その後の２つのコルゲートチューブ４０Ａ、４０Ｂの端部４１を連結させる作業について、図１１〜１３などを参照しながら説明する。
【００４１】
初めに、図１１に示すように、コルゲートチューブ４０Ａ、４０Ｂ内の端部４１から一定長さ露出させた電線束(主幹線)５０をベース２０の内側で一端から他端まで架け渡すように載置する。
その後、電線束(主幹線)５０のうち分岐させる電線を残して、それ以外の電線５０を、ベース２０の電線束固定部２７の基体部２７３上で、テープその他の適宜の止着手段６０を用いて基体部２７３に巻きつけて止着させる。この止着の際には、基体部２７３のうちベース２０から外部に突出した部分で止め着けるようにする。これにより、その巻きつけ作業などが容易かつ確実に行える。また、この止着されなかった枝線となる電線５０Ａ(図１３参照)については、枝線引出部２６からベース２０外部へ引き出しておく。
【００４２】
このようにして、電線束(主幹線)５０をベース２０の電線束固定部２７の基体部２７３に止め着けるとともに、残りの枝線を外部に引き出したならば、次に、以下に述べるコルゲートチューブ４０Ａ、４０Ｂ端部４１どうしの連結及び保持具１０での固定を行う（図９、１０に示す連結作業に移行する）。
【００４３】
この保持具１０の連結作業は、ベース２０により２つのコルゲートチューブ端部４１をそれぞれ固定させる第１の作業と（図９（Ｂ））、第１上カバー３０Ａ及び第２上カバー３０Ｂを双方のコルゲートチューブ端部４１に上から覆って固定させることで、ベース２０への取付け作業を行う第２の作業（図１０）とで構成される。なお、ベース２０は、前述したように予め固定部２４をパネル等の被取付部材Ｐの取付穴Ｐｈに挿入して固定させてあるが、第２作業の完了した後にこの作業を行うようにしてもよい。
【００４４】
（Ｉ）第１の作業：
初めに、２つのコルゲートチューブ４０Ａ、４０Ｂの各端部４１を、図１に示すように、ベース２０の各ホルダー部２１の端部寄りに配置して、各端部４１の終縁部が、電線束固定部２７とホルダー部２１の床部２１Ａとの間の隙間に入り込む直前の状態に配置させる。なお、この図１には電線束５０が記載されていないが、予め電線束５０が２つのコルゲートチューブ４０Ａ、４０Ｂに挿通されている。
そして、コルゲートチューブ４０Ａ、４０Ｂの各端部４１を、コルゲートチューブ４０Ａ、４０Ｂの軸方向に沿いつつ、ホルダー部２１の奥部へ向けて押込ませていく。これにより、コルゲートチューブ４０Ａ、４０Ｂの各端部４１は特に下部側が電線束５０を巻き装させている止着手段６０のテープ巻装部分などの膨出部分を乗り越えて中央部方向に移動する。
その後、このコルゲートチューブ４０Ａ、４０Ｂの各端部４１は、各端部４１の内面側の蛇腹の山及び谷が、電線束固定部２７の係合爪２７４に係合しながらベース２０の中央部に向けて移動し、最終的に電線束固定部２７の起立部２７１に当接するところまで挿入する（図９（Ｂ）参照）。
【００４５】
このようにして、コルゲートチューブ４０Ａ、４０Ｂの各端部４１が、最終的に、電線束固定部２７の（ホルダー部２１の床部２１Ａから）垂直に立ち上がった起立部２７１に当接すると、軸方向への各端部４１の移動が停止される。そこで、電線束固定部２７の係合爪２７４に各端部４１の蛇腹の谷が嵌合した仮止め状態となる。また、このとき同時に、コルゲートチューブ４０Ａ、４０Ｂの各端部４１寄りの外面側の蛇腹の谷が、ホルダー部２１の端部から立ち上がったベース側係止部２２に入り込んで嵌合し、コルゲートチューブ４０Ａ、４０Ｂがベース２０に１次止めされる（図９参照）。
【００４６】
これにより、各コルゲートチューブ４０Ａ、４０Ｂは、ベース側係止部２２及び電線束固定部２７により、ベース２０に対して位置ずれすることなく保持される。なお、ここでは、便宜上、コルゲートチューブ４０Ａ、４０Ｂの保持作業について同時に説明してきたが、通常は、いずれか一方を先にベース２０に保持する作業を行うのが一般的である。
【００４７】
（ＩＩ）第２の作業：
次に、第１上カバー３０Ａ及び第２上カバー３０Ｂを、コルゲートチューブ４０Ａ、４０Ｂの上を覆うようにして、２次止め、つまり本止めするときの作業について説明する。
図１において、第１上カバー３０Ａ及び第２上カバー３０Ｂを、ベース２０の直上に配置してから下方（−Ｚ方向）に向けて移動させる。このとき、コルゲートチューブ４０Ａ、４０Ｂはベース２０に対して位置がずれることなく１次止めされている。
従って、第１上カバー３０Ａ及び第２上カバー３０Ｂをベース２０に対して位置決めさせて連結させるだけで、コルゲートチューブ４０Ａ、４０Ｂをベース２０に２次止め、つまり保持具１０に本止め保持できる。なお、主幹線の電線束５０も前述したように、枝線５０Ａを残して電線束固定部２７に止着されている。
【００４８】
即ち、第１上カバー３０Ａ及び第２上カバー３０Ｂをベース２０に連結するには、各連結片３１をベース２０の係止部２３の連結片係止穴２３Ａの直上に位置決めし、第１上カバー３０Ａ及び第２上カバー３０Ｂの各ガイド凹部３４をガイドバー２５に沿わせながら、第１上カバー３０Ａ及び第２上カバー３０Ｂをベース２０に向けて押込ませるだけでよい。この押込み動作により、各連結片３１が連結片係止穴２３Ａの内部を通り下方へ移動するとともに、ガイド凹部３４はガイドバー２５に沿って下方へ移動し、第１上カバー３０Ａ及び第２上カバー３０Ｂの各カバー本体部３３がコルゲートチューブ４０Ａ、４０Ｂの上面にそれぞれ独立別個に当接し、各コルゲートチューブ端部４１がカバー側係止部３６でそれぞれ本止め（２次止め）される。
【００４９】
即ち、ここで、各連結片３１の係止突部３１Ａが係止部２３の係止爪２３Ｂ（図２参照）に係合しているので、第１上カバー３０Ａ及び第２上カバー３０Ｂのカバー側係止部３６がコルゲートチューブ４０Ａ、４０Ｂの各端部寄りの外面の蛇腹の谷に食い込んで係合する（図１０参照）。その結果、コルゲートチューブ４０Ａ、４０Ｂの各端部４１は、第１上カバー３０Ａ及び第２上カバー３０Ｂで２次止め、つまり本止めされ、コルゲートチューブ４０Ａ、４０Ｂが確実に保持具１０に保持されるわけである。
【００５０】
このようにして、コルゲートチューブ４０Ａ、４０Ｂは確実に保持具１０に保持されるが、コルゲートチューブ４０Ａ、４０Ｂについては、大径のものどうしであっても、また小径のものどうしであっても、同様に、保持具１０で確実な保持が行える。
【００５１】
また、コルゲートチューブ４０Ａ、４０Ｂの外径が、一方が大径で他方が小径であっても、可撓連結部３０Ｃが傾斜した状態に撓むことで、ベース２０と第１上カバー３０Ａ及び第２上カバー３０Ｂとの間の間隔（連結距離）をそれぞれ独立別個に、かつ、自由に変更できる。従って、第１上カバー３０Ａ及び第２上カバー３０Ｂは、それぞれ、異径のコルゲートチューブ４０Ａ、４０Ｂの各径の大きさに適合するような状態でベース２０との連結距離を調整でき、異径のコルゲートチューブ４０Ａ、４０Ｂを保持具１０で確実に保持できる。
【００５２】
そして、最後に、図１１に示すように、自動車のボディパネル等へのレイアウトに従ってそのパネル等の被取付部材Ｐの所定位置に設けた取付穴Ｐｈに持具１０のベース２０の固定部２４を押込むなどして挿入し、ベース２０をしっかりと取付けて固定させる。
【００５３】
従って、本実施形態によれば、コルゲートチューブ４０Ａ、４０Ｂの下部側の端部４１は、ベース２０の内面と電線束固定部２７の下面との間の隙間に配置され、電線束固定部２７の係止爪２７４を介してコルゲートチューブ４０Ａ、４０Ｂの端部４１の下部側がベース２０に係止されている。即ち、ベース２０よってコルゲートチューブ４０Ａ、４０Ｂの下部側が外側から一体に保持される。一方、この蛇腹状のコルゲートチューブ４０Ａ、４０Ｂに挿通されて収容されている、主幹線の電線束５０のうち枝線引出部２６から引き出して所望の方向に自由に分岐可能な電線５０Ａ以外のものはベース２０側の電線束固定部２７にしっかりと固定されている。そのため、外径の大型化を伴わずに、コルゲートチューブ４０Ａ、４０Ｂ内の分岐電線５０Ａ以外の主幹線の電線束５０をベース２０側に簡単に固定できるわけである。
この結果、分岐させる電線５０Ａを引き出して所望の方向に自由に分岐させる際に、残りの主幹線の電線束５０のひきづられて一緒に枝線引出部２６から飛び出してくるといったトラブルが回避でき、延いては配線させる主幹線及び枝線の寸法精度を向上させることができる。
【００５４】
なお、本実施形態では、電線束固定部２７のストッパ部２７５を基体部２７３に直交する方向に突設させてあるが、例えば図１４に示すように、上方に向けて突設させたストッパ部２７６を備えるものでもよいし、反対に、下方に向けて突設させたストッパ部２７６を備えるものでもよい。また、この電線束固定部２７は、例えば図１５に示すように、ベース２０のホルダー部２１の底面２１Ａから起立した側壁面２１Ｂに平行な垂直上方に向けて突設した状態で、ベース２０と一体に成形したものであってもよい。これによって、成形型の小型化を図るとともに、成形型内のキャビティへの樹脂材料の流れを無駄なくスムースに行って成形品の品質向上を図ることができる。
【００５５】
なお、この場合、電線束５０などの線材部品を電線束固定部２７に止着させる際には、ベース２０のの底面２１Ａへの起立部２７１の近傍から底面２１Ａに平行に折曲させるための折曲部２７２となる薄肉部２７７を設けるような構成とすればよい。
また、本実施形態では電線束固定部２７を左右両側にそれぞれ設置したが、本発明の電線束固定部は、いずれか一方のみであってもよく、また、本実施形態のようなベース２０側ではなく上カバーの天井面側に設置させてもよい。
【図面の簡単な説明】
【００５６】
【図１】本発明の第１の実施形態に係る保持具及びコルゲートチューブを示す斜視図である。
【図２】本発明の第１の実施形態に係るベースを示す底面図である。
【図３】そのベースの横断面図である。
【図４】そのベースの平面図である。
【図５】（Ａ）及び（Ｂ）はそのベースの側面図及び図２のＶＢ−ＶＢ線断面図である。
【図６】（Ａ）は本発明の第１の実施形態に係る第１上カバー、第２上カバー及び可撓連結部を示す正面図、（Ｂ）はその底面図である。
【図７】その第１上カバー、第２上カバー及び可撓連結部について、長手方向に沿った断面図である。
【図８】（Ａ）及び（Ｂ）はその側面図及び図６のＶＩＩＩＢ−ＶＩＩＩＢ線断面図である。
【図９】（Ａ）は本発明の第１の実施形態に係るベースの電線束固定部に電線束を止着させた後、コルゲートチューブを１次止め及び仮止めした状態を示す説明図、（Ｂ）はその要部拡大図である。
【図１０】本発明の第１の実施形態に係る第２上カバーでコルゲートチューブを２次止め（本止め）した状態を示す説明図である。
【図１１】本発明の第１の実施形態に係るベースの電線束固定部に電線束を止着させた状態を示す断面図である。
【図１２】図１１の電線束を止着させたベースにコルゲートチューブを挿入して係止させた状態を示す断面図である。
【図１３】図１２のコルゲートチューブを挿入させたベースに上ケースを被せるとともに枝線を引き出した状態を示す斜視図である。
【図１４】本発明の保持具のベースの変形例を示す斜視図である。
【図１５】本発明の保持具のベースの他の変形例を示す斜視図である。
【図１６】従来の保持具を示す斜視図である。
【符号の説明】
【００５７】
１０  保持具
２０  ベース
２１  ホルダー部
２１Ａ  床部
２１Ｂ  壁部
２２  ベース側係止部
２３  係止部
２３Ｂ  係止爪
２４  固定部
２５  ガイドバー
２６  枝線引出部
２７  電線束固定部
２７１  起立部
２７２  折曲部
２７３  基体部
２７４  係止爪
２７５  ストッパ部
３０Ａ  第１上カバー
３０Ｂ  第２上カバー
３０Ｃ  可撓連結部
３１  連結片
３２  位置確認用開口
３３  カバー本体部
３４  ガイド凹部
３５  基部
３６  カバー側係止部
４０Ａ  コルゲートチューブ
４０Ｂ  コルゲートチューブ
４１  端部
５０  電線束（主幹線）
５０Ａ  電線等（分岐線）
６０  止着手段
【図１】
2010154666.tif 000003
【図２】
2010154666.tif 000004
【図３】
2010154666.tif 000005
【図４】
2010154666.tif 000006
【図５】
2010154666.tif 000007
【図６】
2010154666.tif 000008
【図７】
2010154666.tif 000009
【図８】
2010154666.tif 000010
【図９】
2010154666.tif 000011
【図１０】
2010154666.tif 000012
【図１１】
2010154666.tif 000013
【図１２】
2010154666.tif 000014
【図１３】
2010154666.tif 000015
【図１４】
2010154666.tif 000016
【図１５】
2010154666.tif 000017
【図１６】
2010154666.tif 000018